【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
１つ以上の他のデバイスと関連付けられる中継装置で、他の中継器へのメッセージを生成することと、ここにおいて、前記メッセージは、前記中継装置が関連付けられる他の複数のデバイスの数のインジケーションを含む、そして、
前記他の中継器に前記メッセージを送信することと、
を備える、上記方法。
【請求項２】
前記他の中継器の利用可能な容量が前記中継装置にサーブするのに十分であるか否かを示す前記他の中継器からのメッセージを受信することをさらに備える、請求項１に記載の方法。
【請求項３】
ワイヤレス通信のための中継装置であって、前記中継装置は、１つ以上の他のデバイスと関連付けられ、
他の中継器へのメッセージを生成するための手段と、ここにおいて、前記メッセージは、前記中継装置が関連付けられる他の複数のデバイスの数のインジケーションを含む、そして、
前記他の中継器に前記メッセージを送信するための手段と、
を備える、上記中継装置。
【請求項４】
前記メッセージは、アクションフレームまたはアソシエーション要求で送信される、または、
前記メッセージは、前記中継装置と関連付けられる複数のデバイスの複数のＩＤのリストを含む、または、
前記メッセージは、前記中継装置と関連付けられる他の複数のデバイスの量を含む、請求項３に記載の装置、または請求項１に記載の方法。
【請求項５】
ワイヤレス通信の方法であって、
中継装置で、他の中継デバイスからのメッセージを受信することと、ここにおいて、前記メッセージは、前記他の中継デバイスが関連付けられる複数のデバイスの数のインジケーションを含む、そして、
前記中継装置が前記他の中継デバイスにサーブするのに十分な利用可能な容量を有するか否かを決定することと、
を備える、上記方法。
【請求項６】
前記中継装置が前記他の中継デバイスにサーブするのに十分な利用可能な容量を有するか否かを示す前記他の中継デバイスへのメッセージを送ることをさらに備える、請求項５に記載の方法、または、
前記他の中継デバイスからアソシエーション要求を受信することと、そして、
前記決定に基づいて前記アソシエーション要求を受け取ることまたは拒絶することと、
をさらに備える、請求項５に記載の方法。
【請求項７】
ワイヤレス通信のための中継装置であって、
他の中継デバイスからのメッセージを受信するための手段と、ここにおいて、前記メッセージは、前記他の中継デバイスが関連付けられる複数のデバイスの数のインジケーションを含む、そして、
前記中継装置が前記他の中継デバイスにサーブするのに十分な利用可能な容量を有するか否かを決定するための手段と、
を備える、上記装置。
【請求項８】
前記メッセージは、前記他の中継デバイスと関連付けられる複数のデバイスの複数のＩＤのリスト、または前記他の中継デバイスと関連付けられる複数のデバイスの量を含む、請求項７に記載の装置、または請求項５に記載の方法、あるいは、
前記中継装置が前記他の中継デバイスにサーブするのに十分な利用可能な容量を有するか否かを決定することは、前記他の中継デバイスが関連付けられる複数のデバイスの数と前記中継装置の利用可能な容量を比較することを備える、請求項７に記載の装置、または請求項５に記載の方法、あるいは、
前記中継装置が前記他の中継デバイスにサーブするのに十分な利用可能な容量を有するか否かを示す前記他の中継デバイスへのメッセージを送信するための手段をさらに備える、請求項７に記載の装置。
【請求項９】
ワイヤレス通信の方法であって、
中継装置で、他の中継器へのメッセージを生成することと、ここにおいて、前記メッセージは、前記中継装置がサーブするための利用可能な容量を有する他の複数のデバイスの数のインジケーションを含む、そして、
他の中継デバイスおよび前記他の複数のデバイスのうちの少なくとも１つに前記メッセージを送信することと、
を備える、上記方法。
【請求項１０】
ワイヤレス通信のための中継装置であって、
他の中継器へのメッセージを生成するように構成されるプロセッサと、ここにおいて、前記メッセージは、前記中継装置がサーブするための利用可能な容量を有する他の複数のデバイスの数のインジケーションを含む、そして、
前記他の中継器に前記メッセージを送信するように構成される送信機と、
を備える、上記中継装置。
【請求項１１】
前記メッセージは、ビーコンでまたはプローブ応答で送信される、請求項１０に記載の装置、または請求項９に記載の方法、あるいは、
前記メッセージは、いくつの追加のノードが前記中継装置によってサービスされることができるかを示す数を含む、請求項１０に記載の装置、または請求項９に記載の方法。
【請求項１２】
ワイヤレス通信の方法であって、
中継装置で、ここにおいて、１つ以上の他のデバイスは、前記中継装置と関連付けられ、ここにおいて、前記中継装置は、中継デバイスと通信しており、前記中継デバイスからのメッセージを受信することと、ここにおいて、前記メッセージは、前記中継デバイスがサーブするための利用可能な容量を有する他の複数のデバイスの数のインジケーションを含む、そして、
前記中継デバイスが、前記中継装置と関連付けられる前記他の複数のデバイスおよび前記中継装置にサーブするための利用可能な容量を有するか否かを決定することと、
を備える、上記方法。
【請求項１３】
第２のメッセージを生成することをさらに備え、ここにおいて、前記第２のメッセージは、前記中継装置がサーブするための利用可能な容量を有する追加の複数のデバイスの数のインジケーションを含む、請求項１２に記載の方法、または、
他の中継デバイスからの他のメッセージを受信することと、ここにおいて、前記他のメッセージは、前記他の中継デバイスがサーブするための利用可能な容量を有する追加の複数のデバイスの数のインジケーションを含む、
前記複数の中継デバイスのうちのどれが、前記中継装置にサーブするための利用可能な容量を有するかを決定することと、そして、
前記決定された中継デバイスにアソシエーション要求を送ることと、
をさらに備える、請求項１２に記載の方法。
【請求項１４】
ワイヤレス通信のための中継装置であって、ここにおいて、１つ以上の他のデバイスは、前記中継装置と関連付けられ、ここにおいて、前記中継装置は、中継デバイスと通信しており、
前記中継デバイスからのメッセージを受信するための手段と、ここにおいて、前記メッセージは、前記中継デバイスがサーブするための利用可能な容量を有する他の複数のデバイスの数のインジケーションを含む、そして、
前記中継デバイスが、前記中継装置と関連付けられる前記他の複数のデバイスおよび前記中継装置にサーブするための利用可能な容量を有するか否かを決定するための手段と、
を備える、上記中継装置。
【請求項１５】
第２のメッセージを生成することをさらに備え、ここにおいて、前記第２のメッセージは、前記中継装置がサーブするための利用可能な容量を有する追加の複数のデバイスの数のインジケーションを含む、請求項１４に記載の装置、または、
他の中継デバイスからの他のメッセージを受信することと、ここにおいて、前記他のメッセージは、前記他の中継デバイスがサーブするための利用可能な容量を有する追加の複数のデバイスの数のインジケーションを含む、
前記複数の中継デバイスのうちのどれが、前記中継装置にサーブするための利用可能な容量を有するかを決定することと、そして、
前記決定された中継デバイスにアソシエーション要求を送信することと、
をさらに備える、請求項１４に記載の装置。